(57)【要約】【課題】油循環系統内への油供給の必要性を的確に判断可能であるとともに、各油保有タンクの間における油保有量のバランスを取ることのできる油保有量調整システム及び方法を提供すること。【解決手段】  各油保有タンクの油量レベルを測定し、測定された油量レベルに基づいて全油保有タンクの油保有量の合計量を算出し、測定された各油保有タンクの油量レベルの内、少なくとも１つの油保有タンクの油量レベルが油量レベル下限閾値を下回るかどうかを判定し、油保有タンクの油量レベルが油量レベル下限閾値を下回る場合に、油保有量の合計量が合計量下限閾値を下回るかどうかを判定し、油保有量の合計量が合計量下限閾値を下回る場合に警報を発令し、油保有量の合計量が合計量下限閾値を上回る場合に、油量レベル下限閾値を下回る油保有タンクに対し他の油保有タンクから油を移送する。【選択図】図３
2012092668.tif 000002
【特許請求の範囲】
【請求項１】
複数の油保有タンクが相互に油を移送可能に連結された油循環系統内で、
各油保有タンクの油量レベルを測定する油量レベル測定手段と、
前記油量レベル測定手段により測定された油量レベルに基づいて、全油保有タンクの油保有量の合計量を算出するタンク油保有量算出手段と、
前記油量レベル測定手段により測定された各油保有タンクの油量レベルの内、少なくとも１つの油保有タンクの油量レベルが予め設定された油量レベル下限閾値を下回っているかどうかを判定する油量レベル判定手段と、
前記油量レベル判定手段により少なくとも１つの油保有タンクの油量レベルが前記油量レベル下限閾値を下回っていると判定された場合に、前記タンク油保有量算出手段により算出された前記油保有量の合計量が予め定められた合計量の下限閾値を下回っているかどうかを判定する保有油合計量判定手段と、
前記保有油合計量判定手段により前記油保有量の合計量が、前記合計量の下限閾値を下回っていると判定された場合に警報を発令する警報発令手段と、
前記保有油合計量判定手段により前記油保有量の合計量が、前記合計量の下限閾値を上回っていると判定された場合に、前記油量レベルが前記油量レベル下限閾値を下回っている前記油保有タンクに対し前記油循環系統内の他の油保有タンクから不足分の油を移送するタンク油量レベル調整手段と、
を有することを特徴とする油保有量調整システム。
【請求項２】
前記油量レベル判定手段は、油保有タンクの油量レベルが予め設定された油量レベル上限閾値を上回っているかどうかを判定し、
前記油量レベル調整手段は、前記油量レベル判定手段により少なくとも１つの油保有タンクの油量レベルが前記油量レベル上限閾値を上回っていると判定された場合、該油量レベルが前記油量レベル上限閾値を上回っている油保有タンクを、前記不足分の油の移送を行う移送元である前記他の油保有タンクとして優先的に設定することを特徴とする請求項１に記載の油保有量調整システム。
【請求項３】
複数の油保有タンクが連結された油循環系統内で行われる油保有量調整方法であって、
各油保有タンクの油量レベルを測定する油量レベル工程と、
前記油量レベル測定手段により測定された油量レベルに基づいて、全油保有タンクの油保有量の合計量を算出するタンク油保有量算出工程と、
前記油量レベル測定工程において測定された各油保有タンクの油量レベルの内、少なくとも１つの油保有タンクの油量レベルが予め設定された油量レベル下限閾値を下回っているかどうかを判定する油量レベル判定工程と、
前記油量レベル判定工程において少なくとも１つの油保有タンクの油量レベルが前記油量レベル下限閾値を下回っていると判定された場合に、前記タンク油保有量算出工程により算出された前記油保有量の合計量が予め定められた合計量の下限閾値を下回っているかどうかを判定する保有合計量判定工程と、
前記保有合計量判定工程において前記油保有量の合計量が、前記合計量の下限閾値を下回っていると判定された場合に警報を発令する警報発令工程と、
前記保有合計量判定工程において前記油保有量の合計量が、前記合計量の下限閾値を上回っていると判定された場合に、前記油量レベルが前記油量レベル下限閾値を下回っている前記油保有タンクに対し前記油循環系統内の他の油保有タンクから不足分の油を移送するタンク油量レベル調整工程と、
を有することを特徴とする油保有量調整方法。
【請求項４】
前記油量レベル判定手段は、油保有タンクの油量レベルが予め設定された油量レベル上限閾値を上回っているかどうかを判定し、
前記油量レベル調整手段は、前記油量レベル判定手段により少なくとも１つの油保有タンクの油量レベルが前記油量レベル上限閾値を上回っていると判定された場合、該油量レベルが前記油量レベル上限閾値を上回っている油保有タンクを、前記不足分の油の移送を行う移送元である前記他の油保有タンクとして優先的に設定することを特徴とする請求項３に記載の油保有量調整方法。
【発明の詳細な説明】
【技術分野】
【０００１】
本発明は、油保有量調整システム及び油保有量調整方法に関し、特に、複数の油保有タンクが連結された油循環系統内における各油保有タンクの油保有量を調整するシステム及び方法に関する。
【背景技術】
【０００２】
発電所には、発電用タービンの軸受の潤滑を目的とした油を保有する油保有タンクが設備されている。この油保有タンクとして、例えば、蒸気タービンに軸受潤滑用として供給する油を保有する主油保有タンク、タービン軸受潤滑用の油を清浄する油清浄器タンク、及びタービン駆動用の蒸気を製造するボイラーに給水するＢＦＰＴ軸受潤滑用の油を保有するＢＦＰＴ補助油保有タンクが知られている。
【０００３】
一般的にこれら油保有タンクは、油移送管により連結され相互に油を移送可能とされた一つの油循環系統として構成される。そして、各保有タンクは、上記冷却や清浄等の機能を果たすために、定められた保有量を下回らないように一定量の保有量を確保しておく必要がある。
【０００４】
特許文献１には、油保有タンクが保有する油量が定められた保有量を下回ると、すなわち、タンク内の油面の位置が一定以上下がると、警報を発し、作業員にタンクへの油供給を促すようにした油保有タンクの油面監視装置が開示されている。
【先行技術文献】
【特許文献】
【０００５】
【特許文献１】特開平０３−１１１６０３号公報
【発明の概要】
【発明が解決しようとする課題】
【０００６】
上記特許文献１に記載されている油保有タンクの油面監視装置は、各油保有タンクの油面、すなわち油量レベルが決められた位置より下がっているかどうかを基準にして、油保有タンクへの油の補充が必要であるかどうかを決定し、補充が必要であれば警報を発するようにしている。ところが、上述の発電所における主油保有タンク、油清浄器、及びＢＦＰＴ補助油保有タンクのように、一つの油循環系統として複数個の油保有タンクが連結されている場合、単純に一つの油保有タンクの油量レベルが一時的に下がって警報が発生しても、他の油保有タンクの油量レベルが上がっており油循環系統を構成する全油保有タンクの合計油量は不足していないことがある。
【０００７】
このような場合に、外部から油を油循環系統内に補充すると系統内部の油が過多になってしまい不具合が生じる。従って、作業員等は警報が発生した原因が系統内部の油が不足しているものなのか、或いは単に油の流れの偏りで一つの油保有タンクの油量レベルが一時的に下がっているだけであるのかを確かめた上で、系統内部の油が不足している場合にのみ油の供給を行う必要がある。しかし、このような確認作業は、作業員に負担をかける。
【０００８】
一方で、上述のように、系統内部の油が不足しないが系統内の何れかの油保有タンクの油量レベルが下がっている場合において、その下がり幅が大きいと油保有タンクの機能が損なわれるので、早急に各油保有タンクの油保有量の偏りを失くしてバランスをとる必要がある。
【０００９】
本発明は、このような事情に鑑みてなされたものであり、その目的は、油循環系統内への油供給の必要性を的確に判断可能であるとともに、各油保有タンクの間における油保有量のバランスを取ることのできる油保有量調整システム及び方法を提供することにある。
【課題を解決するための手段】
【００１０】
上記課題を解決するために請求項１に記載の油保有量調整システムは、複数の油保有タンクが相互に油を移送可能に連結された油循環系統内で、各油保有タンクの油量レベルを測定する油量レベル測定手段と、前記油量レベル測定手段により測定された油量レベルに基づいて、全油保有タンクの油保有量の合計量を算出するタンク油保有量算出手段と、前記油量レベル測定手段により測定された各油保有タンクの油量レベルの内、少なくとも１つの油保有タンクの油量レベルが予め設定された油量レベル下限閾値を下回っているかどうかを判定する油量レベル判定手段と、前記油量レベル判定手段により少なくとも１つの油保有タンクの油量レベルが前記油量レベル下限閾値を下回っていると判定された場合に、前記タンク油保有量算出手段により算出された前記油保有量の合計量が予め定められた合計量の下限閾値を下回っているかどうかを判定する保有油合計量判定手段と、前記保有油合計量判定手段により前記油保有量の合計量が、前記合計量の下限閾値を下回っていると判定された場合に警報を発令する警報発令手段と、前記保有油合計量判定手段により前記油保有量の合計量が、前記合計量の下限閾値を上回っていると判定された場合に、前記油量レベルが前記油量レベル下限閾値を下回っている前記油保有タンクに対し前記油循環系統内の他の油保有タンクから不足分の油を移送するタンク油量レベル調整手段と、を有することを特徴とする。
【００１１】
本発明によれば、油量レベル判定手段により、油循環系統内にある油保有タンクの内の少なくとも１つの油保有量が油量レベル下限閾値を下回ると判定された場合、すなわち系統内の油保有タンクの油保有量が不足している場合でも、直ちに警報を発生させて油循環系統への油の補充を促すのではなく、先ず、保有油合計量判定手段により、油循環系統における全油保有タンク油保有量の合計量が、予め設定された油合計量の下限閾値を下回っているかどうかが判定される。
【００１２】
そして、保有油合計量判定手段により全油保有タンク油保有量の合計量が油合計量下限値を下回っていると判定された場合には、警報発令手段により警報を発し作業員等に油合計量が不足していることを認識させて油の供給を促す。その一方で、タンク保有油合計量が油合計量下限値を下回っていないと判定された場合には、警報を発生させることもなく、タンク油量レベル調整手段により、油循環系統内の他の油保有タンクから保有油が少なくなっている油保有タンクに油の移送を行う。従って、一時的に特定の油保有タンクに油保有量が少なくなっている場合には速やかに他のタンクから油が供給されてその状態が解消される。
【００１３】
従って、油循環系統内の油が不足している場合にのみ的確に警報を発して作業員等に系統内への油の補充を促すことができるとともに、各油保有タンクの間における油保有量のバランスも取ることができる。
【００１４】
請求項２に記載の油保有量調整システムは、請求項１に記載の発明において、前記油量レベル判定手段は、油保有タンクの油量レベルが予め設定された油量レベル上限閾値を上回っているかどうかを判定し、前記油量レベル調整手段は、前記油量レベル判定手段により少なくとも１つの油保有タンクの油量レベルが前記油量レベル上限閾値を上回っていると判定された場合、該油量レベルが前記油量レベル上限閾値を上回っている油保有タンクを、前記不足分の油の移送を行う移送元である他の油保有タンクとして優先的に設定することを特徴とする。
【００１５】
これによれば、油循環系統内における油の流れの偏り等を原因として油保有量が過剰となってしまった油保有タンクから、上述の油保有量が不足している油保有タンクへ優先的に油を移送するようにしたので、油循環系統内における各油保有タンクの油保有量のバランスをより好適に維持することができる。
【００１６】
更に、請求項３に記載の油保有量調整方法は、複数の油保有タンクが連結された油循環系統内で行われる油保有量調整方法であって、各油保有タンクの油量レベルを測定する油量レベル工程と、前記油量レベル測定手段により測定された油量レベルに基づいて、全油保有タンクの油保有量の合計量を算出するタンク油保有量算出工程と、前記油量レベル測定工程において測定された各油保有タンクの油量レベルの内、少なくとも１つの油保有タンクの油量レベルが予め設定された油量レベル下限閾値を下回っているかどうかを判定する油量レベル判定工程と、前記油量レベル判定工程において少なくとも１つの油保有タンクの油量レベルが前記油量レベル下限閾値を下回っていると判定された場合に、前記タンク油保有量算出工程により算出された前記油保有量の合計量が予め定められた合計量の下限閾値を下回っているかどうかを判定する保有合計量判定工程と、前記保有合計量判定工程において前記油保有量の合計量が、前記合計量の下限閾値を下回っていると判定された場合に警報を発令する警報発令工程と、前記保有合計量判定工程において前記油保有量の合計量が、前記合計量の下限閾値を上回っていると判定された場合に、前記油量レベルが前記油量レベル下限閾値を下回っている前記油保有タンクに対し前記油循環系統内の他の油保有タンクから不足分の油を移送するタンク油量レベル調整工程と、を有することを特徴とする。
【００１７】
本発明によれば、油量レベル判定工程において、油循環系統内にある油保有タンクの内の少なくとも１つの油保有量が油量レベル下限閾値を下回ると判定された場合、すなわち油循環系統内の油保有タンクの油保有量が不足している場合でも、直ちに警報を発生させて油循環系統への油の補充を促すのではなく、先ず、保有油合計量判定手段により、油循環系統における全油保有タンク油保有量の合計量が、予め設定された油合計量の下限閾値を下回っているかどうかが判定される。
【００１８】
そして、保有油合計量判定工程において全油保有タンク油保有量の合計量が油合計量下限値を下回っていると判定された場合には、警報発令工程において警報を発し作業員等に油合計量が不足していることを認識させて油の供給を促す。その一方で、タンク保有油合計量が油合計量下限値を下回っていないと判定された場合には、警報を発生させることもなく、タンク油量レベル調整手段により、油循環系統内の他の油保有タンクから保有油が少なくなっている油保有タンクに油の移送を行う。従って、一時的に特定の油保有タンクに油保有量が少なくなっている場合には直ちに他のタンクから油が供給されてその状態が解消される。
【００１９】
従って、油循環系統内の油が不足している場合にのみ的確に警報を発して作業員等に系統内への油の補充を促すことができるとともに、各油保有タンクの間における油保有量のバランスも取ることができる。
【００２０】
請求項４に記載の油保有量調整方法は、請求項３に記載の発明において、前記油量レベル判定手段は、油保有タンクの油量レベルが予め設定された油量レベル上限閾値を上回っているかどうかを判定し、前記油量レベル調整手段は、前記油量レベル判定手段により少なくとも１つの油保有タンクの油量レベルが前記油量レベル上限閾値を上回っていると判定された場合、該油量レベルが前記油量レベル上限閾値を上回っている油保有タンクを、前記不足分の油の移送を行う移送元である前記他の油保有タンクとして優先的に設定することを特徴とする。
【００２１】
これによれば、油循環系統内における油の流れの偏り等を原因として油保有量が過剰となってしまった油保有タンクから、上述の油保有量が不足している油保有タンクへ優先的に油を移送するようにしたので、油循環系統内における各油保有タンクの油保有量のバランスをより好適に維持することができる。
【発明の効果】
【００２２】
本発明にかかる油保有量調整システム及び方法によれば、系統内全体の油保有量が不足している場合に的確に警報を発生させて作業員等に系統内への油の補充を促すことができ、一方で系統内の油が足りていて少なくとも１つの油保有タンクに油保有量が不足している場合には、他のタンクから油を移送してその状態を解消して各油保有タンクにおける油保有量のバランスも適正に維持することができる。
【図面の簡単な説明】
【００２３】
【図１】本実施の形態にかかる油循環系統の全体構成を説明する図である。
【図２】油循環系統における各タンクの油量の調整制御を行うためのハードウェア構成を概略的に示すブロック図である。
【図３】油循環系統における油保有量調整の流れを説明するフローチャートである。
【図４】各タンクの油保有量、及び全油保有タンクの油保有量の合計量の具体的な数値の例を示した図である。
【図５】各タンクの油量レベルの上限閾値及び下限閾値と、全油保有タンクの油保有量の合計量の上限閾値及び下限閾値の具体的な数値の例を示した図である。
【発明を実施するための形態】
【００２４】
以下、本発明にかかる実施の形態について図面を参照して詳細に説明する。図１は、本実施の形態にかかる油循環系統の全体構成を概略的に示した図である。
【００２５】
図示のように、油循環系統１０は、各油移送管により相互に油を移送可能に連結された主油保有タンク１２、油清浄器タンク１４、Ａ−ＢＦＰＴ補助油保有タンク１６、及びＢ−ＢＦＰＴ補助油保有タンク１８を有している。主油保有タンク１２は、発電用のタービン６０において使用される潤滑油を保有するタンクである。油清浄器タンク１４は、タービン軸受潤滑用の油を清浄する油を貯留するタンクである。Ａ−ＢＦＰＴ補助油保有タンク１６、及びＢ−ＢＦＰＴ補助油保有タンク１８は、それぞれＢＦＰＴ軸受潤滑用の油を保有するタンクである。
【００２６】
これらタンク１２、１４、１６、１８には、それぞれが保有している油量の液面高さをメートル単位で示す油量レベルを測定するレベル計２２、２４、２６、２８がそれぞれ具備されている。
【００２７】
そして、油保有タンク１２、１４、１６、１８の間には、各タンクへの油流量を調整する弁７３、７４、７６、７８、８０、８２、８４、６８やポンプが設けられている。
【００２８】
図２は、油循環系統１０における各油保有タンク１２、１４、１６、１８に保有される油量の調整制御を行うためのハードウェア構成を説明するブロック図である。なお、当図において、ハードウェアの各構成要素をつなぐ線は、各情報を含む信号の送受信を示したものである。
【００２９】
図示のように、先ず、油循環系統１０のシステム１は、レベル計２２、２４、２６、２８からの各油保有タンク１２、１４、１６、１８の油量レベルの測定値を示す情報を受信するタンク油保有量算出手段３０及び油量レベル判定手段３２と、タンク油保有量算出手段３０及び油量レベル判定手段３２から情報を受信する保有油合計量判定手段３４と、保有油合計量判定手段３４から情報を受信する警報発令手段３６と、タンク油保有量算出手段３０及び保有油合計量判定手段３４から情報を受信するタンク油量調整手段３８と、が具備されている。
【００３０】
タンク油保有量算出手段３０は、油量レベル計２２、２４、２６、２８から受信した油量レベルの測定値に基づいて、各油保有タンク１２、１４、１６、１８の油保有量、及び全油保有タンクの油保有量の合計量をリアルタイムで算出するとともに、算出した油保有量の合計量を保有油合計量判定手段３４に送信する。
【００３１】
油量レベル判定手段３２は、油量レベル計２２、２４、２６、２８から受信した油量レベルの測定値に基づいて各油保有タンク１２、１４、１６、１８の内、少なくとも１つの油保有タンクの油量レベルが予め設定された油量レベルの下限閾値を下回っているかどうかを判定する。そして、油量レベル判定手段３２は、少なくとも１つの油保有タンクの油量レベルが油量レベルの下限閾値を下回っていると判定した場合には、保有油合計量判定手段３４にこの判定情報を送信する。一方で、油量レベル判定手段３２は、全ての油保有タンクの油量レベルが油量レベルの下限閾値を下回っていないと判定した場合には、処理を終了する。
【００３２】
また、保有油合計量判定手段３４は、タンク油保有量算出手段３０から受信した全タンク油保有量合計量の情報に基づいて、全タンク油保有量の合計量が予め定められた合計量下限値を下回っているかどうかを判定する。保有油合計量判定手段３４は、全タンク油保有量合計量が予め定められた合計量下限値を下回っていると判定した場合、警報発令手段３６に警報の発令を命じる信号を送信する。一方で、保有油合計量判定手段３４は、全タンク油保有量の合計量が予め定められた合計量下限値を上回っていると判定した場合、この判定情報をタンク油量調整手段３８に送信する。
【００３３】
更に、タンク油量調整手段３８は、保有油合計量判定手段３４から全タンク油保有量合計量が合計量下限値を上回っているという判定情報を受信すると、油保有量のレベルが上記油量レベル下限閾値を下回っている油保有タンクに対して油循環系統１０内の他の油保有タンクから油移送するように、弁７３、７４、７６、７８、８０、８２、８４を制御する。
【００３４】
なお、各油保有タンク１２、１４、１６、１８ごとの油量レベル及び油量レベル下限閾値（後述する上限閾値も含む）、全タンクの油保有量の合計量及び合計量下限閾値（後述する上限閾値も含む）を表示する表示手段をシステム１に備えても良い。特に、この場合、上記表示手段とタンク保有油量算出手段の双方の機能を、例えば、ＭｉｃｒｏｓｏｆｔＥｘｃｅｌ（登録商標）等のソフトウェアにより構築しても良い。
【００３５】
図３は、上記構成を有する油循環系統１０内において油量調整の制御を説明するフローチャートである。なお、各タンクの油保有量及び全タンクの油保有量の合計量が不足していない状態では、各弁７３、７４、７６、７８、８０、８２、８４、及び８６は油が油循環系統１０内で適度な流速を保つように開度で開放されており、以下の各ステップに記載するように必要な場合に応じて適宜閉塞される。
【００３６】
図示のように、先ず、ステップＳ１０１において、各油保有タンク１２、１４、１６、１８の油量レベルの測定値がレベル計２２、２４、２６、２８からタンク油保有量算出手段３０、及び油量判定手段３２に送信される。
【００３７】
ステップＳ１０２において、タンク油保有量算出手段３０により油量レベルの測定値に基づいて各油保有タンクの油量、及び全油保有タンクの油量の合計（すなわち、油循環系統１０内に保有されている合計油量）が算出される。なお、図４は、各油保有タンクの油量レベル、油量、及び合計油量の具体的数値の例を示したものであり、（ａ）、（ｂ）、（ｃ）はそれぞれ３日おきの測定値である。図示のように、本実施の形態では、各油保有タンク１２、１６、１８の油量レベルは、各タンク内において底部から基準高さを設定し、タンク内の油の液面の高さと当該基準高さの差をとって単位ｍｍで表している。また、「実レベル」は、タンク内の油の液面の実際の高さを単位ｍｍで表したものである。なお、油清浄器タンク１４の油量レベルとしては「実レベル」の値が採用されている。
【００３８】
更に、上述のように、全タンクの油保有量の合計量及び合計量下限閾値（上限閾値）を表示する表示手段とタンク保有油量算出手段の双方の機能を、Ｍｉｃｒｏｓｏｆｔ Ｅｘｃｅｌ（登録商標）等のソフトウェアで構成する場合、各タンクの「レベル表示」又は「実レベル」の項目に数値が入力されることで自動的に、各タンクの保有油量及び全タンクの油保有量の合計量が算出される。また、この場合、「油変動量」という項目を作成すれば、現在の各タンクの油保有量等の測定値と過去の測定値の差を一見して確認することができる。
【００３９】
ステップＳ１０３において、油量判定手段３２により、入力された各油保有タンクの油量レベルの内、各タンクの内の少なくとも１つの油量レベルがタンク毎に予め設定された油量レベルの下限閾値を下回っているかどうかの判定がなされる。下回っていないと判定されると、ルーチンが終了する。
【００４０】
そして、少なくとも１つの油保有タンクの油量レベルが油量レベルの下限閾値を下回っていると判定されると、ステップＳ１０４において、保有油合計量判定手段３４により、入力された全油保有タンクの油量の合計量が、予め定められた上記合計量下限閾値を下回っているかどうかの判定がなされる。
【００４１】
なお、図５において、上記各タンク毎の油量レベルの下限値及び合計量下限値の具体的数値の例を示す。本実施の形態では、主油タンクの油量レベルの下限閾値が−１００ｍｍ（実レベル１４３３ｍｍ）、油清浄器１４の油量レベルの下限値が３２５ｍｍ、Ａ−ＢＦＰＴ補助油保有タンク１６及びＢ−ＢＦＰＴ補助油保有タンク１８の油量レベルの下限閾値は、それぞれ、−６０ｍｍ（実レベル１０６０ｍｍ）に設定されている。
【００４２】
そして、全油保有タンクの油保有量の合計が、合計量下限閾値（例えば図５における「４０５０８．８０Ｌ」）を下回っていると判定されると、ステップＴ１０１において警報発令手段３６により警報が発せられ、油循環系統１０を管理する作業員等に油の補充が促される。そして、ステップＴ１０２において油が系統１０内に補充されると、ステップＳ１０５へと進む。
【００４３】
なお、系統１０内へ補充される油量は、揮発等の原因により、全油保有タンクの油保有量の合計が合計量下限閾値をすぐに下回ってしまうことがないように、全油保有タンクの油保有量の合計量が合計量下限閾値よりもやや多くなるように補充されることが好ましい。
【００４４】
一方、全油保有タンクの油保有量の合計が、合計量下限閾値を上回っていると判定されるか或いは上記ステップＴ１０２における油の補充が行われると、ステップＳ１０５において、油量レベル判定手段３２により、主油タンク１２の油量レベルがその下限閾値（例えば図５の「−１００」）を下回るかどうか判定される。主油タンク１２の油量レベルが下限閾値を下回ると判定された場合、ステップＴ１０３において、弁７４、弁８０、及び弁８２が閉塞される。これにより、図１から理解されるように、主油タンク１２には油清浄器タンク１４から油が（他の油保有タンク１６、１８に流れることなく）集中的に流れ込み主油タンク１２の油保有量が増加する。そして、この状態で、主油タンク１２の油保有量レベルが油量レベルの下限閾値を超えた時に、閉塞されていた弁７４、弁８０、及び弁８２を元の開度に開放する。
【００４５】
一方、主油タンク１２の油量レベルが下限閾値を上回ると判定された場合には、ステップＳ１０６において、油清浄器タンク１４の油量レベルが下限閾値（例えば、図５において「３２５（ｍｍ）」を下回るかどうかが判定される。油清浄器タンク１４の油量レベルが下限閾値を下回ると判定された場合、ステップＴ１０４において、弁７４が開放されるか、又は弁７８、弁８０、及び弁８２が閉塞される。これにより、油清浄器タンク１４には主油タンク１２、Ａ−ＢＦＰＴ補助油タンク１６、Ｂ−ＢＦＰＴ補助油タンク１８から油が集中的に流れ込み油清浄器タンク１４の油保有量が増加する。そして、この状態で、油清浄器タンク１４の油保有量レベルが油量レベルの下限閾値を超えた時に、弁７４を元の開度に閉塞するか、又は弁７８、弁８０、及び弁８２を元の開度に開放する。
【００４６】
そして、油清浄器タンク１４の油量レベルが下限閾値を上回ると判定された場合には、ステップＳ１０７において、Ａ−ＢＦＰＴ補助油保有タンク１６の油量レベルがその下限閾値（例えば図５における「−６０」）を下回るかどうかが判定される。Ａ−ＢＦＰＴ補助油保有タンク１６の油量レベルが下限閾値を下回ると判定された場合、ステップＴ１０５において、弁８０が開放されるか、又は弁７８、及び弁８２が閉塞される。これにより、Ａ−ＢＦＰＴ補助油保有タンク１６には、油清浄器タンク１４から集中的に流れ込みその油保有量が増加する。そして、この状態で、Ａ−ＢＦＰＴ補助油保有タンク１６の油保有量レベルが油量レベルの下限閾値を超えた時、弁８０を元の開度に閉塞するか、又は弁７８、及び弁８２を元の開度に開放する。
【００４７】
一方、Ａ−ＢＦＰＴ補助油保有タンク１６の油量レベルが下限閾値を上回ると判定された場合には、ステップＳ１０８において、Ｂ−ＢＦＰＴ補助油保有タンク１６の油量レベルがその下限閾値（例えば図５における「−６０」）を下回るかどうかが判定される。Ｂ−ＢＦＰＴ補助油保有タンク１６の油量レベルが下限閾値を下回ると判定された場合、ステップＴ１０６において、弁８２が開放されるか、又は弁７８、及び弁８０が閉塞される。これにより、Ｂ−ＢＦＰＴ補助油保有タンク１６には油清浄器タンク１４から集中的に流れ込みその油保有量が増加する。そして、この状態で、Ｂ−ＢＦＰＴ補助油保有タンク１６の油保有量レベルが油量レベルの下限閾値を超えた時、弁８２を元の開度に閉塞するか、又は弁７８、及び弁８０を元の開度に開放する。一方、Ｂ−ＢＦＰＴ補助油保有タンク１６の油量レベルが下限閾値を上回ると判定された場合には、処理が終了する。
【００４８】
以上により、本実施の形態によれば、油量レベル判定手段３２により、油循環系統１０内のある油保有タンク１２、１４、１６、１８の内の少なくとも１つの油保有量が不足して各タンク毎に予め設定された油量レベル下限閾値を下回ると判定された場合でも、直ちに油循環系統１０への油を供給すること無く、先ず、保有油合計量判定手段３４により、油循環系統１０における全油保有タンク油保有量の合計量が、予め設定された油合計量の下限閾値を下回っているかどうかが判定される。
【００４９】
そして、タンク保有油合計量が油合計量下限値を下回っていると判定された場合には、警報発令手段３６により警報を発し作業員等に油合計量が不足していることを認識させて、作業員等により不足分の油が補充されて系統１０内の油が足りた状態となった後にステップＳ１０５の処理に進む。
【００５０】
一方で、タンク保有油合計量が油合計量下限値を下回っていないと判定された場合には警報を鳴らすこともなく、タンク油量調整手段３８により、油循環系統１０内の他の油保有タンクから保有油が少なくなっている油保有タンクへ油の移送を行う。従って、一時的に特定の油保有タンクに油保有量が少なくなっている場合には直ちに他のタンクから油が補充されてその状態が解消される。
【００５１】
これにより、系統１０内の油が不足している場合には警報発令手段３６により警報が発せられて作業員等に油の補充が促されるとともに、系統１０内の油が足りている場合には各油保有タンク１２、１４、１６、１８の間における油保有量のバランスをとることができる。
【００５２】
なお、上記図３の処理において、各油保有タンクごとに油保有量の上限閾値を設定し、油量レベル判定手段３２により、油保有タンク１２、１４、１６、１８の油量レベルが予め設定された油量レベル上限閾値を上回っているかどうかを判定して、油量レベル判定手段３２により少なくとも１つの油保有タンクの油量レベルが油量レベル上限閾値を上回っていると判定された場合に、タンク油量調整手段３８によってその油量レベルが上限閾値を上回っている油保有タンクを、不足分の油の移送を行う移送元の油保有タンクとして優先的に設定するようにしても良い。これにより、従って、油循環系統１０内における各油保有タンクの油保有量のバランスをより好適に維持することができる。図５には、各全油保有タンクの油量レベルの上限閾値の具体的な値の例を示す。なお、当図において、全油保有タンクの油保有量の合計量の上限閾値とは、各全油保有タンクの油量レベルの値が上限閾値である場合における各全油保有タンクの保有油量の合計として定義されるものである。
【００５３】
なお、本発明は上記実施の形態に限定されるものではなく、発明の要旨の範囲内で種々の変更が可能である。例えば、上記実施の形態における油循環系統１０は、油保有タンクとして主油タンク１２、油清浄器タンク１４、Ａ−ＢＦＰＴ補助油保有タンク１６、及びＢ−ＢＦＰＴ補助油保有タンク１６の４個のタンクを備えているが、油保有タンクの種類及び数はこれに限られるものではない。また、全タンクの油保有量の合計量に対し各タンク間の配管を流れる油量を考慮した（加えた）全タンク油保有補正合計量を算出し、この全タンク油保有補正合計量を上記「全タンクの油保有量の合計量」に代えて各ステップの処理を行なうようにしても良い。
【００５４】
更に、上述の保有油量が不足している油保有タンクに他の油保有タンクから油を移送するための各弁の制御は、上記実施の形態で説明したものに限られず、当業者が考えうる種々の制御形態を適用することが可能であり、さらにいえば、弁の開閉調整だけではなく、ポンプの駆動力を調整して系統内の油流量を制御し、各油保有タンク間における油の移送を行うようにしても良いし、油流量制御を行う種々の装置を別途設けるようにしても良い。
【符号の説明】
【００５５】
１０      油循環系統
１２      主油タンク
１４      油清浄器
１６      Ａ−ＢＦＰＴ補助油保有タンク
１８      Ｂ−ＢＦＰＴ補助油保有タンク
２２、２４、２６、２８        レベル計（油量レベル測定手段）
３０      タンク油保有量算出手段
３２      油量レベル判定手段
３４      保有油合計量判定手段
３６      警報発令手段
３８      タンク油量レベル調整手段
【図１】
2012092668.tif 000003
【図２】
2012092668.tif 000004
【図３】
2012092668.tif 000005
【図４】
2012092668.tif 000006
【図５】
2012092668.tif 000007